(57)【特許請求の範囲】
【請求項１】
自動販売機の外扉に設置され、メインシリンダ錠を内蔵したメインロック機構本体、及びメインスイングカムを有するメインロック機構と、
前記メインロック機構の上方位置または下方位置に設置され、サブシリンダ錠を内蔵したサブロック機構本体、及びサブスイングカムを有するサブロック機構と、
前記メインスイングカム及び前記サブスイングカムとそれぞれ連係し、前記外扉の開閉操作に応じ、前記外扉に沿って上下方向に摺動するスライダーロックと
を具備し、
前記メインスイングカムは、
前記メインロック機構本体と連結し、前記スライダーロック方向に突設されたメインカム片を有するメインカム基部、先端が前記スライダーロックと当接するメインカム先端片、前記メインカム片及び前記メインカム先端片を屈曲可能に連結するメイン屈曲連結部、及び前記メインカム片に対する前記メインカム先端片の屈曲解除状態及び屈曲規制状態を切換える屈曲規制部をさらに有し、
前記サブスイングカムは、
前記サブロック機構本体と連結し、前記スライダーロック方向に突設されたサブカム片を有するサブカム基部、先端が前記スライダーロックと当接するサブカム先端片、及び前記サブカム片及び前記サブカム先端片を屈曲可能に連結するサブ屈曲連結部をさらに有することを特徴とする扉ロック装置。
【請求項２】
前記屈曲規制部は、
前記メインカム片及び前記メインカム先端片のいずれか一方に貫設された第一貫通孔部と、
前記メインカム片及び前記メインカム先端片のいずれか他方から突設され、前記第一貫通孔部と相対する位置に第二貫通孔部が貫設された突片と、
互いに重なり合った前記第一貫通孔部及び前記第二貫通孔部に挿脱自在に取設される屈曲規制ピンと
をさらに具備することを特徴とする請求項１に記載の扉ロック装置。
【請求項３】
請求項１または請求項２に記載の扉ロック装置を用いた自動販売機の管理方法であって、
自動販売機の外扉に設置されたメインロック機構、前記メインロック機構の上方位置または下方位置に設置されたサブロック機構、及び前記メインスイングカム及び前記サブスイングカムとそれぞれ連係して前記外扉に沿って上下方向に摺動するスライダーロックを具備する前記扉ロック装置を用い、
前記メインロック機構のメインシリンダ錠の施錠及び解錠を行うメインキーを管理するメイン管理会社によって、前記メインロック機構のメインスイングカムの屈曲規制部を屈曲規制状態にする主設定にセットする主設定工程と、
前記メイン管理会社によって、前記メインロック機能の前記メインスイングカムの前記屈曲規制部を屈曲解除状態にする副設定にセットする副設定工程と
を具備することを特徴とする扉ロック装置を用いた自動販売機の管理方法。
【発明の詳細な説明】
【技術分野】
【０００１】
本発明は、扉ロック装置、及び扉ロック装置を用いた自動販売機の管理方法（以下、単に「管理方法」と称す）に関するものであり、特に、自動販売機の外扉に設けられ、複数のロック機構を利用して外扉の開閉を管理することが可能な扉ロック装置、及び管理方法に関するものである。
【背景技術】
【０００２】
従来から、飲料、たばこ等の各種商品を販売する自動販売機が屋内及び屋外に多数設置されている。これらの自動販売機は、一般に筐体状を呈し、その前面部の一部に開閉可能な外扉が形成されている。そして、開いた外扉を通して内部にアクセスし、販売する商品の補充や商品の売上金の回収、或いは自動販売機の修理や保守・点検等の作業することが行われている。ここで、外扉には不特定多数の人間が内部にアクセスできないようにするために、シリンダ錠等の扉ロック装置が取設されている。
【０００３】
ここで、自動販売機は屋内及び屋外のあらゆる場所に設置され、さらに時間帯によってはほとんど人通りのない場所に置かれることもある。そのため、外扉のシリンダ錠を破壊し、内部の商品や売上金を奪う犯罪も多発している。そのため、外扉の構造を強固なものとしたり、特殊なシリンダ錠を採用することにより、物理的に上記犯罪を防ぐことが行われている。さらに、外扉に複数のシリンダ錠を設置し、外扉の破壊に時間を要するようにすることで、心理的に犯罪を起こさせにくい状況を創り出し、被害を未然に防ぐことも行われている。
【０００４】
シリンダ錠の施錠及び解錠を行うためのキーは、自動販売機の設置メーカー或いはその管理を請け負う管理会社等によって、厳重に保管がなされ、必要に応じて使用されている。一方、自動販売機の修理や保守・点検等のメンテナンス作業を行う業者（以下、「修理業者」と称す）は、上記キーを保有することなく、作業毎に、上記管理会社等から一時的にキーの借受けを行い、貸与されたキーを用いて必要な作業を実施し、作業完了後には再び管理会社にキーの返却を行っている。
【発明の概要】
【発明が解決しようとする課題】
【０００５】
しかしながら、上記の場合、以下に示す不具合を生じることがあった。すなわち、キーを保管し、管理する管理会社と、作業を行い自動販売機が設置された作業現場と、修理等を行う修理業者とが互いに離れている場合が多かった。そのため、修理業者は、当該キーを借受けるために、管理会社に赴き、その後に修理現場まで向かい、作業終了後にキーを返却するために再び管理会社まで向かう必要があった。すなわち、作業に要する時間に比べ、単なるキーの借受け及び返却に要する時間の方が多くなることがあった。加えて、仮受け及び返却時にキーを紛失する等の安全管理上の問題が生じる可能性があった。
【０００６】
また、管理会社にとっても、一時的に外部の修理業者に当該キーを貸与することにより、心理的な不安を感じることがあり、貸与を慎重に行うことがあった。
【０００７】
そこで、本発明は上記実情に鑑み、自動販売機の外扉の施錠及び解錠を行うキーの管理会社及び修理業者間での貸借を省略し、作業負担を軽減するとともに、心理的な不安も解消することが可能な扉ロック装置、及び扉ロック装置を用いた自動販売機の管理方法の提供を課題とするものである。
【課題を解決するための手段】
【０００８】
したがって、本発明の扉ロック装置は、「自動販売機の外扉に設置され、メインシリンダ錠を内蔵したメインロック機構本体、及びメインスイングカムを有するメインロック機構と、前記メインロック機構の上方位置または下方位置に設置され、サブシリンダ錠を内蔵したサブロック機構本体、及びサブスイングカムを有するサブロック機構と、前記メインスイングカム及び前記サブスイングカムとそれぞれ連係し、前記外扉の開閉操作に応じ、前記外扉に沿って上下方向に摺動するスライダーロックとを具備し、前記メインスイングカムは、前記メインロック機構本体と連結し、前記スライダーロック方向に突設されたメインカム片を有するメインカム基部、先端が前記スライダーロックと当接するメインカム先端片、前記メインカム片及び前記メインカム先端片を屈曲可能に連結するメイン屈曲連結部、及び前記メインカム片に対する前記メインカム先端片の屈曲解除状態及び屈曲規制状態を切換える屈曲規制部をさらに有し、前記サブスイングカムは、前記サブロック機構本体と連結し、前記スライダーロック方向に突設されたサブカム片を有するサブカム基部、先端が前記スライダーロックと当接するサブカム先端片、及び前記サブカム片及び前記サブカム先端片を屈曲可能に連結するサブ屈曲連結部をさらに有する」ものから主に構成されている。
【０００９】
ここで、扉ロック装置に使用されるメインロック機構及びサブロック機構は、自動販売機に使用される周知のロック機構を基本的に使用し、一部構成に対して改良を施すことにより形成することができる。そして、このメインロック機構及びサブロック機構とそれぞれ連係するスライダーロックによって自動販売機の外扉の開閉を制御することが可能となる。
【００１０】
さらに、メインロック機構のメインスイングカム及びサブロック機構のサブスイングカムの構成も既存のロック機構のスイングカムと基本的に同一のものであり、スライダーロックと当接する平板状のカム先端片とカム片とを分離し、互いを屈曲可能に連結して構成されている。さらに、メインスイングカムのカム先端片及びメインカム片とを屈曲解除状態及び屈曲規制状態に切換可能な屈曲規制部を有している。
【００１１】
したがって、本発明の扉ロック装置によれば、メインスイングカムの屈曲を切換可能な屈曲規制部を有するメインロック機構と、当該屈曲規制部を有しないサブロック機構とを有して形成されている。これにより、メインスイングカムの屈曲を可能とする屈曲解除状態及び屈曲を規制する屈曲規制状態の二つの状態を自動販売機に対して設定することが可能となる。
【００１２】
ここで、メインスイングカムの屈曲を規制した場合、メインロック機構の開操作により、メインスイングカムが回転し、スライダーロックを上方に摺動させる。これにより、スライダーロックが係止していた外扉のロックが外れ、外扉を開くことが可能となる。このとき、サブロック機構のサブスイングカムは、屈曲可能に形成されているため、スライダーロックの上方向の摺動に連動して、上方に跳上げるように屈曲することになる。一方、係る状態でサブロック機構の開操作を行うと、サブスイングカムによってスライダーロックを上方に摺動させようとする。このとき、サブスイングカムの屈曲は一方向（跳上方向）に規制されているため、上記操作は可能となる。しかしながら、メインロック機構のメインスイングカムは屈曲が規制され、かつメインロック機構のメインシリンダ錠の解錠は行われていないため、上方に摺動しようとするスライダーロックは、メインスイングカムの一部と当接し、係る摺動が規制される。すなわち、メインスイングカムの屈曲が規制された状態ではメインロック機構のメインシリンダ錠を解錠しなければ、外扉を開くことができない。
【００１３】
一方、メインスイングカムの屈曲の規制を解除した場合、メインロック機能の開操作によって、上述した外扉を開くことが可能となる。さらに、サブロック機構の開操作によっても同様に外扉を開くことが可能となる。このとき、サブロック機構のサブスイングカムは、上述したように、スライダーロックを上方に摺動させる。これに対し、メインロック機構のメインスイングカムは、スライダーロックの上方への摺動に対し、屈曲規制が解除されているため、上方に跳上がるようにして屈曲する。そのため、メインスイングカムがスライダーロックの摺動を阻害することにはならない。すなわち、メインスイングカムの屈曲が解除された状態ではメインロック機構のメインシリンダ錠の解錠或いはサブロック機構のサブシリンダ錠の解錠のいずれか一方であれば、外扉を開くことが可能となる。
【００１４】
さらに、本発明の扉ロック装置は、上記構成に加え、「前記屈曲規制部は、前記メインカム片及び前記メインカム先端片のいずれか一方に貫設された第一貫通孔部と、前記メインカム片及び前記メインカム先端片のいずれか他方から突設され、前記第一貫通孔部と相対する位置に第二貫通孔部が貫設された突片と、互いに重なり合った前記第一貫通孔部及び前記第二貫通孔部に挿脱自在に取設される屈曲規制ピンと」を具備するものであっても構わない。
【００１５】
したがって、本発明の扉ロック装置によれば、第一貫通孔部、第二貫通孔部を有する突片、及び屈曲規制ピンによってメインスイングカムの屈曲状態を切換えることが可能となる。すなわち、屈曲規制ピンを第一貫通孔部及び第二貫通孔部に挿入することにより、メインスイングカムの屈曲が規制される。一方、屈曲規制ピンを抜くことにより、メインスイングカムの屈曲が可能となる。
【００１６】
一方、本発明の管理方法は、「上記記載の扉ロック装置を用いた自動販売機の管理方法であって、自動販売機の外扉に設置されたメインロック機構、前記メインロック機構の上方位置または下方位置に設置されたサブロック機構、及び前記メインスイングカム及び前記サブスイングカムとそれぞれ連係して前記外扉に沿って上下方向に摺動するスライダーロックを具備する前記扉ロック装置を用い、前記メインロック機構のメインシリンダ錠の施錠及び解錠を行うメインキーを管理するメイン管理会社によって、前記メインロック機構のメインスイングカムの屈曲規制部を屈曲規制状態にする主設定にセットする主設定工程と、前記メイン管理会社によって、前記メインロック機能の前記メインスイングカムの前記屈曲規制部を屈曲解除状態にする副設定にセットする副設定工程と」を主に具備するものである。
【００１７】
したがって、本発明の管理方法によれば、上述したメインロック機構及びサブロック機構を有する扉ロック装置を用いることにより、自動販売機の外扉の施錠及び解錠の管理をすることが可能となる。例えば、メインロック機構の施錠及び解錠をするメインキーをメイン管理会社が保管し、一方のサブロック機構の施錠及び解錠をするサブキーを自動販売機のメンテナンス作業等を行う修理業者等のサブ管理会社が保管することにする。これにより、通常は、扉ロック装置のメインロック機構のメインスイングカムを屈曲規制状態にする主設定に設定しておく。これにより、メイン管理会社のみが自動販売機の外扉の開閉を行うことが可能となる。一方、メンテナンス作業等が必要となった場合、予めメイン管理会社が自動販売機の外扉を開け、メインスイングカムの屈曲規制状態を解除しておく。これにより、サブ管理会社が保管するサブキーのみで外扉を開けることが可能となる。
【発明の効果】
【００１８】
本発明の効果によれば、メインロック機構及びサブロック機構の二つのロック機構を有する扉ロック装置によって、メインキーでのみ解錠可能、及びメインキーまたはサブキーのいずれかで解錠可能の二つの状態を創成することができる。これにより、従来必要であった、サブ管理会社（修理業者）及びメイン管理会社（管理会社）の間のキーの貸借が必要となくなり、サブ管理会社の負担を大幅に軽減することができる。
【図面の簡単な説明】
【００１９】
【図１】本実施形態の扉ロック装置の構成を示す説明図である。
【図２】メインロック機構の（ａ）屈曲規制状態、及び（ｂ）屈曲解除状態を示す説明図である。
【図３】主設定にセットされた扉ロック装置を示す説明図である。
【図４】副設定にセットされた扉ロック装置を示す説明図である。
【発明を実施するための形態】
【００２０】
以下、本実施形態の扉ロック装置１について、図１乃至図４に基づいて説明する。ここで、本実施形態の扉ロック装置１は、筐体状の自動販売機（図示しない）の前面に設けられた外扉２（図示しない）に設置されている。なお、説明を簡略化するため、自動販売機等の構成については、図示を省略している。また、図１乃至図４等は、外扉２の裏側、換言すれば、自動販売機の内側から扉ロック装置１を観察したものを模式的に示したものである。すなわち、紙面奥行き方向が外扉２の前面側に相当している。
【００２１】
本実施形態の扉ロック装置１は、図１乃至図４に示されるように、自動販売機の外扉２に設置されたメインロック機構３と、メインロック機構３の下方位置に設置されたサブロック機構４と、メインロック機構３及びサブロック機構４とそれぞれ連係する角筒状のスライダーロック５とを具備して主に構成されている。ここで、メインロック機構３及びサブロック機構４は、基本的な構成は周知のロック機構と同一であり、それらを利用し、一部に改良を施すことによって形成されている。さらに、メインロック機構３及びサブロック機構４の二つのロック機構を有するものであり、いわゆる「ダブルロック構造」を呈している。そのため、一般的には、メインロック機構３に対するメインキー及びサブロック機構４に対するサブキーの双方が揃っていなければ、外扉２を開くことができないものである。なお、本実施形態の扉ロック装置１は、メインロック機構３及びサブロック機構４にそれぞれメインハンドル７及びサブハンドル２０が取設され、係るハンドル７，２０によって外扉の開閉操作を行うものについて例示する。
【００２２】
さらに具体的に説明すると、本実施形態の扉ロック装置１のメインロック機構３は、メインロック機構３の施錠及び解錠を行うメインシリンダ錠（図示しない）を内蔵したメインロック機構本体６と、メインシリンダ錠の施錠及び解錠によってハンドル軸に沿った回転によるハンドル操作が制限されるメインハンドル７と、メインハンドル７のハンドル後端７ａと接続され、メインハンドル７のハンドル操作に連動して回転するメインスイングカム８とを具備している。なお、メインハンドル７は、通常はメインロック機構本体６に収容されている。そして、メインシリンダ錠にメインキーを差込み、所定方向に回転させることによって解錠すると、外扉２の前面から突出し、ハンドル軸に沿った回転をすることが可能な構成に形成されている。
【００２３】
ここで、メインスイングカム８は、全体として板状に形成され、メインハンドル７と連結し、スライダーロック５の方向に突設されたメインカム片９を有するメインカム基部１０と、スライダーロック５の第一開口部１１に一部が挿入され、先端が鉤状の鉤部１２を有するメインカム先端片１３と、メインカム基部１０のメインカム片９及びメインカム先端片１３をそれぞれの上端角部９ａ，１３ａ同士を屈曲可能に連結するメイン屈曲連結部１４と、メインカム片９に対するメインカム先端片１３の屈曲解除状態Ｓ及び屈曲規制状態Ｒを切換える屈曲規制部１５とを有している。さらに具体的に説明すると、メイン屈曲連結部１４は、メインカム片９及びメインカム先端片１３の上端同士と接続し、互いの相対角度を変化させることのできるヒンジが用いられている。なお、それぞれの上端同士を接続し、さらにメインカム片９を有するメインカム基部１０がメインハンドル７に連結されているため、屈曲方向はメインカム先端片１３が上方に跳ね上がる方向に制限されている。そのため、メインカム先端片１３に下方への力が作用した場合であっても、当該力に抗することができる。
【００２４】
さらに、屈曲規制部１５は、平板状のメインカム片９の表裏面を貫設した第一貫通孔部１６と、鉤部１２の形成された辺と相対するメインカム先端片１３の一辺からメインカム片９に向かって突出し、非屈曲状態のときに、第一貫通孔部１６と相対する位置に第二貫通孔部１７が形成された突片２８と、互いに重なり合った第一貫通孔部１６及び第二貫通孔部１７に対し、挿脱自在に取設される円柱状の棒部を有する屈曲規制ピン１８とを具備している。
【００２５】
さらに、第一貫通孔部１６等に屈曲規制ピン１８を挿入した状態を保持するためピン保持機構を有するものであっても構わない。例えば、屈曲規制ピン１８を弾性変形可能な素材で形成し、ピン先端のサイズを第一貫通孔部１６等よりも僅かに大きく形成し、挿込時及び抜出時に屈曲規制ピン１８を弾性変形させることにより、使用時に屈曲規制ピン１８が容易に脱落しないようにするものであっても構わない。これにより、図２（ａ）及び（ｂ）に示すように、メインスイングカム８を二つの設定（主設定及び副設定）に切換えることができる。
【００２６】
これに対し、サブロック機構４は、基本的な構成は上述のメインロック機構３と略同一である。すなわち、サブロック機構４は、サブロック機構４の施錠及び解錠を行うサブシリンダ錠（図示しない）を内蔵したサブロック機構本体１９と、サブシリンダ錠の施錠及び解錠によってハンドル軸に沿った回転によるハンドル操作が制限されるサブハンドル２０と、サブハンドル２０のハンドル後端２０ａと接続され、サブハンドル２０のハンドル操作に連動して回転するサブスイングカム２１とを具備している。
【００２７】
ここで、サブスイングカム２１は、全体として板状に形成され、サブハンドル２０と連結し、スライダーロック５の方向に突設されたサブカム片２２を有するサブカム基部２３と、スライダーロック５の第二開口部２４に一部が挿入され、先端が鉤状の鉤部２５を有するサブカム先端片２６と、サブカム基部２３のサブカム片２２及びサブカム先端片２６をそれぞれの上端角部２２ａ，２６ａ同士を屈強可能に連結するサブ屈曲連結部２７とを有している。ここで、サブ屈曲連結部２７は、サブカム片２２及びサブカム先端片２６の上端同士と接続し、互いの相対角度を変化させることのできるヒンジが同様に用いられている。また、サブ屈曲連結部２７の機能は、メイン屈曲連結部１４と同一であるため、ここでは説明を省略する。
【００２８】
すなわち、サブスイングカム２１は、メインスイングカム８と略同一の構成を有するものの、メインスイングカム８と異なり、屈曲状態の規制及び解除を行う屈曲規制部１５を有していない。そのため、サブスイングカム２１は、常に屈曲が可能に構成されている。
【００２９】
次に、本実施形態の扉ロック装置１の使用例及び自動販売機の管理方法の一例について、主に図３及び図４に基づいて説明する。はじめに、本実施形態の扉ロック装置１及び管理方法では、メインロック機構３の施錠及び解錠をするためのメインキー（図示しない）は、自動販売機の管理を行う管理会社（メイン管理会社に相当）で保管されている。一方、サブロック機構４の施錠及び解錠をするためのサブキー（図示しない）は、自動販売機の修理、保守及び点検等の作業を行う修理業者（サブ管理会社に相当）で保管されているものとして、以下の説明を行うものとする。
【００３０】
通常の自動販売機の使用状態では、メインロック機構３のメインスイングカム８の屈曲規制部１５の屈曲規制ピン１８が第一貫通孔部１６及び第二貫通孔部１７に挿入されている。すなわち、主設定にセットされている。これにより、メインカム片９に対するメインカム先端片１３の屈曲が制限されている。そのため、メインカム片９及びメインカム先端片１３は、一体化した部材として形成されている。
【００３１】
上記状態で管理会社がメインシリンダ錠を保管しているメインキーで解錠することにより、メインハンドル７の開閉操作によって、メインハンドル７と接続されたメインスイングカム８が回転する（図３において時計回り方向）。その結果、メインスイングカム８のメインカム先端片１３がスライダーロック５を上方に持ち上げることができ、外扉２の開閉を規制しているロックを解除することができる。その結果、外扉２を開くことができ、商品の充填や売上金の回収等の日常的な業務を行うことができる。
【００３２】
ここで、メインロック機構３の下方位置に設置されたサブロック機構４は、サブスイングカム２１が屈曲可能に形成されているため、上述のメインハンドル７の開操作によってスライダーロック５が上方向に摺動するときに、スライダーロック５の一部とサブスイングカム２１のサブカム先端片２６とが当接し、サブ屈曲連結部２７を軸として上方に跳上げられる。そのため、スライダーロック５の摺動が規制されることがない。これにより、メインキーのみで外扉２の開閉操作を行うことができる。
【００３３】
一方、上述の主設定の状態で、修理業者がサブキーを使用して、サブロック機構４のサブシリンダ錠の解錠を行った場合、サブロック機構４は解錠され、サブハンドル２０を回転させようとすることはできる。しかしながら、サブハンドル２０の回転によって、スライダーロック５を上方に摺動させようとした場合、屈曲状態が規制されたメインスイングカム８を有するメインロック機構３によって、上記摺動が規制される。すなわち、サブハンドル２０自体を回転させることができず、スライダーロック５のロックを解除することができない。その結果、外扉２を開くことができない。そのため、修理業者は、管理会社に報知することなく、勝手に自動販売機の外扉２を開くことができない。これにより、管理会社は、修理業者がサブキーを保管していたとしても、当該サブキーを不正に使用するかもしれないといった心理的不安を解消することができる。
【００３４】
これに対し、管理会社が、メインロック機構３のメインスイングカム８の屈曲状態の規制を解除した場合、すなわち、第一貫通孔部１６等から屈曲規制ピン１８を引抜いた状態（副設定に相当）を説明する。これにより、メインスイングカム８は自由に屈曲することができる。係る状態で管理会社がメインキーを利用してメインシリンダ錠を解錠した場合、上記と同様に外扉２を開くことができる。すなわち、メインスイングカム８の屈曲が解除されている場合であっても、メインスイングカム８の下方に向かう力に抗することができ、屈曲が規制されている場合と同じ状態でスライダーロック５を上方に摺動させることができる。一方、修理業者がサブキーを利用してサブシリンダ錠を解錠し、サブハンドル２０によって開操作を行った場合も同様に外扉２を開くことができる。すなわち、サブハンドル２０と連動して回転するサブスイングカム２１によってスライダーロック５を上方に摺動させることができる。このとき、メインロック機構３のメインスイングカム８は、屈曲可能な状態に設定されているため（副設定）、スライダーロック５の上方への摺動によってメインカム先端片１３とスライダーロック５の一部が当接し、メイン屈曲連結部１４を軸として跳上げられることになる（図４参照）。
【００３５】
これにより、屈曲規制ピン１８を抜いた副設定の状態では、管理会社の保管するメインキー及び修理業者の保管するサブキーのいずれであっても外扉２を開くことができる。したがって、以下のような使用をすることができる。
【００３６】
すなわち、修理業者が自動販売機の修理等を行う場合、管理会社に連絡をして、扉ロック装置１の設定を主設定から副設定に切換えるように要請する。係る要請を受けた管理会社は、自動販売機の設置してある現場まで赴き、メインキーを使用してメインロック機構３を解錠して外扉２を開け、メインスイングカム８を通常の屈曲規制状態から屈曲解除状態に変更する。そして、メインキーを使用して外扉２を再び施錠する。
【００３７】
そして、管理会社によって主設定から副設定に切換えられた自動販売機に対し、修理業者が自ら保管しているサブキーを利用してサブロック機構４を解錠する。このとき、副設定に設定されているため（図４参照）、サブキーのみで外扉２を開くことができる。そして、修理作業等を完了した後、サブキーを利用してサブロック機構４を施錠する。これにより、外扉２の開閉が規制される。その後、管理会社はメインキーを利用して自動販売機の外扉２を開け、屈曲規制ピン１８を利用して屈曲規制状態にする。すなわち、副設定から主設定に変更することにより、通常の状態に戻すことができる。
【００３８】
上記管理方法を採用することにより、従来は必要であった管理会社に対してキーの借受及び返却の作業を省略することができ、修理業者の負担を大幅に軽減することができる。加えて、管理会社は、必要に応じて主設定から副設定に切換えることができるため、修理業者が勝手に自動販売機の外扉２を開けることがなくなる。すなわち、メインキーを保管する管理会社が自動販売機の施錠及び解錠をするキーのコントロールをすることができる。
【００３９】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００４０】
すなわち、本実施形態の扉ロック装置１及びその管理方法において、メインロック機構３に対し、一つのサブロック機構４を備えるものを示したが、これに限定されるものではなく、外扉２に対し、複数のサブロック機構４を設置するものであっても構わない。これにより、複数の修理業者等に対し、それぞれのサブキーを貸与し、自動販売機の管理を細かく使用することができる。さらに、本実施形態の扉ロック装置１において、メインロック機構３及びサブロック機構４にメインハンドル７及びサブハンドル２０をそれぞれ備えるものを示したが、これに限定されるものではなく、係るハンドルの構成を有しない、或いはいずれか一方に備えるものであっても構わない。すなわち、外扉の開閉操作をハンドルを使用することなく、例えば、シリンダ錠に差込んだメインキーまたはサブキーを所定方向に回転させることによって、直接メインスイングカム８またはサブスイングカム２１を回転させる機構を有するものであっても構わない。
【００４１】
さらに、本実施形態の扉ロック装置１において、屈曲規制部１５として、屈曲規制ピン１８及び第一貫通孔部１６等を使用するものを示したが、これに限定されるものではなく、屈曲状態の規制及び解除をすることが可能な周知の機構を採用するものであっても構わない。さらに、サブキーを使用して外扉２を開けた修理業者等が副設定から主設定に切換えできないようにする機構を備えるものであっても構わない。
【符号の説明】
【００４２】
１  扉ロック装置
２  外扉
３  メインロック機構
４  サブロック機構
５  スライダーロック
６  メインロック機構本体
７  メインハンドル
７ａ  ハンドル後端
８  メインスイングカム
９  メインカム片
９ａ，１３ａ，２２ａ，２６ａ  上端角部
１０  メインカム基部
１１  第一開口部
１２，２５  鉤部
１３  メインカム先端片
１４  メイン屈曲連結部
１５  屈曲規制部
１６  第一貫通孔部
１７  第二貫通孔部
１８  屈曲規制ピン
１９  サブロック機構本体
２０  サブハンドル
２０ａ  ハンドル後端
２１  サブスイングカム
２２  サブカム片
２３  サブカム基部
２４  第二開口部
２６  サブカム先端片
２７  サブ屈曲連結部
２８  突片
Ｒ  屈曲規制状態
Ｓ  屈曲解除状態
【図１】
0005457824.tif 000002
【図２】
0005457824.tif 000003
【図３】
0005457824.tif 000004
【図４】
0005457824.tif 000005